(57)【要約】【課題】簡単な構成で天板を両側に傾斜させることができ、かつ、天板を安全に保持することができるテーブル装置を提供する。【解決手段】テーブル板１０と、テーブル板支持部２０と、を備えるテーブル装置１であって、テーブル板支持部２０は、テーブル板１０の下部に配置される２本の円柱状部材２１，２２を備え、テーブル板１０は、２本の円柱状部材２１，２２のうちの一方に軸受部１１，１２と、２本の円柱状部材２１，２２のうちの他方にステー１３と、を備え、軸受部１１，１２は、２本の円柱状部材２１，２２の何れにも装着可能に構成され、ステー１３は、２本の円柱状部材２１，２２の何れにも連結可能に構成され、テーブル板１０は、テーブル板支持部２０に対してテーブル板１０の長手方向に沿った一方向または反対方向の向きで装着可能に構成されることを特徴とする。【選択図】図１
2018057516.tif 000002
【特許請求の範囲】
【請求項１】
天板と、前記天板を支持する天板支持部と、を備えるテーブル装置であって、
前記天板支持部は、前記天板の下部に前記天板の長手方向に沿って略平行に間隔をとって配置される少なくとも２本の柱状部材を備え、
前記天板は、前記２本の柱状部材のうちの一方に前記天板を回動可能に支持する回動支持部材と、前記２本の柱状部材のうちの他方に連結されて、前記天板の回動による変移を制限して前記天板の傾斜状態を保持する傾斜保持部材と、を備え、
前記回動支持部材は、前記２本の柱状部材の何れにも装着可能に構成され、
前記傾斜保持部材は、前記２本の柱状部材の何れにも連結可能に構成され、
前記天板は、前記天板支持部に対して前記天板の長手方向に沿った一方向または反対方向の向きで装着可能に構成され、
前記天板が前記天板支持部に対して前記天板の長手方向に沿った一方向の向きで装着されたときに、前記天板が傾斜する向きと、前記天板が前記天板支持部に対して前記天板の長手方向に沿った一方向とは反対方向の向きで装着されたときに、前記天板が傾斜する向きとは、反対の向きとなるように構成することを特徴とするテーブル装置。
【請求項２】
前記天板支持部は、前記２本の柱状部材が取付けられる柱状部材支持部を備え、
前記２本の柱状部材は、一端側が前記柱状部材支持部に取付けられて、他端側が開放状態で構成され、
前記天板は、前記柱状部材の他端部側から前記天板の長手方向に沿って装着されることを特徴とする請求項１に記載のテーブル装置。
【請求項３】
前記回動支持部材の前記柱状部材の開放側端部への移動を規制する規制部材を備えることを特徴とする請求項１または２に記載のテーブル装置。
【請求項４】
前記規制部材は、前記天板と当接する緩衝部材として機能することを特徴とする請求項３に記載のテーブル装置。
【請求項５】
前記２本の柱状部材の間に梁部材を設けることを特徴とする請求項１から４のうちの何れか一項に記載のテーブル装置。
【請求項６】
前記梁部材は、前記回動支持部材の前記柱状部材への取付位置を設定する位置決め部材として機能することを特徴とする請求項５に記載のテーブル装置。
【請求項７】
前記傾斜保持部材は、一端部が前記天板の長手方向の略中央部に取付けられ、他端部が締結部材により前記柱状部材に取付けられることを特徴とする請求項１から６のうちの何れか一項に記載のテーブル装置。
【請求項８】
前記天板は、長手方向の中央部を中心に略対称な形状で構成され、
前記回動支持部材は、前記天板の長手方向の中央部を中心に略対称な位置に配置されることを特徴とする請求項１から７のうちの何れか一項に記載のテーブル装置。
【発明の詳細な説明】
【技術分野】
【０００１】
本発明は、テーブル装置に係り、特に、天板とこれを支持する天板支持部とを備え、天板を傾斜可能に構成されたテーブル装置に関する。
【背景技術】
【０００２】
従来、ベッドや椅子などと組み合わせて使用するテーブル装置では、天板を傾斜させて使用できるようにしたものが知られている。
【０００３】
ここで、従来のテーブル装置について例を挙げて説明する。
図１８は従来のテーブル装置の一例の構成を示す説明図、図１９は前記テーブル装置の天板を傾斜した状態を示す説明図、図２０は従来のテーブル装置の天板を傾斜した状態を示すその他の例の説明図、図２１は従来のテーブル装置のその他の例の構成を示す説明図、図２２は前記テーブル装置の天板の傾斜状態を示す側面視による説明図である。
【０００４】
従来のテーブル装置の一例として、図１８に示すように、テーブル板（天板）１１０、テーブル板支持部１２０、支柱部１３０、脚部１４０を備えたテーブル装置１０１において、図１９に示すように、使用状況に対応してテーブル板１１０を特定の向きに傾斜可能に構成されたテーブル装置が知られている。
【０００５】
また、図２０に示すように、支柱部２３０に対して水平に設けられた一本のテーブル板支持部２２０上にテーブル板２１０を回動可能に設けて、テーブル板支持部２２０を中心にテーブル板２１０を回動させることで容易に傾斜できるようにしたテーブル装置２０１が知られている。
【０００６】
しかしながら、このような構成では、テーブル板２１０がテーブル板支持部２２０に確実に固定されていないと、テーブル板２１０に物を載せた際に、テーブル板２１０が簡単に回転してしまうという問題が生じる。
【０００７】
また、その他の例として、図２１，図２２に示すように、テーブル板３１０、テーブル板支持部３２０、支柱部３３０、脚部３４０を備えたテーブル装置３０１において、テーブル板３１０を支持するテーブル板支持部３２０に回転をロックするロック機構（図示省略）を備え、テーブル板支持部３２０に設けられたレバー３２１を操作しているときだけ、ロック機構を解除してテーブル板３１０を傾斜させることができるようにしたテーブル装置３０１が知られている。
【０００８】
しかしながら、レバー操作しているときだけロック機構を解除するオフロック式構造を構成するためには、専用の部品が必要であり、構成が煩雑になるため汎用部品での実現は難しくなるという問題が生じる。
【０００９】
そこで、従来技術として、例えば、垂直な支柱に対して水平方向に配置された水平保持部材と、水平保持部材により水平方向に保持されたテーブル板とを、水平保持部材を中心に回動させることで傾斜するようにしたテーブル装置が開示されている（特許文献１を参照）。
【００１０】
このように構成することで、テーブル板は保持部材により幅方向で離れた複数箇所で保持されるので、簡単な構成で傾斜したテーブル板を安定して保持することができる。
【先行技術文献】
【特許文献】
【００１１】
【特許文献１】米国特許第４０７７３３３号明細書
【発明の概要】
【発明が解決しようとする課題】
【００１２】
しかしながら、従来技術や特許文献１の技術では、テーブル板を両側に傾斜することができるが、テーブル板が不意に回転してしまう虞があるという問題が存在する。これを解消するためには、専用の部品が必要であり、構造が煩雑になるという問題がある。
【００１３】
本発明は、上記従来の問題点に鑑みてなされたものであって、テーブル装置において、簡単な構成でテーブル板（天板）を両側に傾斜させることができ、かつ、テーブル板を安全に保持することができるテーブル装置を提供することを目的とする。
【課題を解決するための手段】
【００１４】
上述した課題を解決するための本発明に係るテーブル装置は、次の通りである。
【００１５】
本発明は、天板と、前記天板を支持する天板支持部（天板受け）と、を備えるテーブル装置であって、前記天板支持部の構成として、前記天板の下部に前記天板の長手方向に沿って略平行に間隔をとって配置される少なくとも２本の柱状部材を備え、前記天板の構成として、前記２本の柱状部材のうちの一方に前記天板を回動可能に支持する回動支持部材（軸受部）と、前記２本の柱状部材のうちの他方に連結されて、前記天板の回動による変移を制限して前記天板の傾斜状態を保持する傾斜保持部材(ステー)と、を備え、前記回動支持部材を、前記２本の柱状部材の何れにも装着可能に構成し、前記傾斜保持部材を、前記２本の柱状部材の何れにも連結可能に構成し、前記天板を、前記天板支持部に対して前記天板の長手方向に沿った一方向または反対方向の向きで装着可能に構成し、前記天板を前記天板支持部に対して前記天板の長手方向に沿った一方向の向きで装着したときに、前記天板が傾斜する向きと、前記天板を前記天板支持部に対して前記天板の長手方向に沿った一方向とは反対方向の向きで装着したときに、前記天板が傾斜する向きとは、反対の向きとなるように構成することを特徴とするものである。
【００１６】
また、本発明は、前記天板支持部の構成として、前記２本の柱状部材が取付けられる柱状部材支持部を備え、前記２本の柱状部材が、一端側が前記柱状部材支持部に取付けられて、他端側が開放状態で構成され、前記天板が、前記柱状部材の他端部側から前記天板の長手方向に沿って装着されることが好ましい。
【００１７】
また、本発明は、前記回動支持部材の前記柱状部材の開放側端部への移動を規制する規制部材（樹脂座、ストッパ部）を備えることが好ましい。
【００１８】
また、本発明は、前記規制部材が前記天板と当接する緩衝部材として機能することが好ましい。
【００１９】
また、本発明は、前記２本の柱状部材の間に梁部材を設けることが好ましい。
【００２０】
また、本発明は、前記梁部材が前記回動支持部材の前記柱状部材への取付位置を設定する位置決め部材として機能することが好ましい。
【００２１】
また、本発明は、前記傾斜保持部材の一端部が前記天板の長手方向の略中央部に取付けられ、他端部が締結部材（例えば、ローレット付の締結部材）により前記柱状部材に取付けられることが好ましい。
【００２２】
また、本発明は、前記天板が長手方向の中央部を中心に略対称な形状で構成され、前記回動支持部材が前記天板の長手方向の中央部を中心に略対称な位置に配置されることが好ましい。
【発明の効果】
【００２３】
本発明のテーブル装置によれば、天板と、前記天板を支持する天板支持部（天板受け）と、を備えるテーブル装置であって、前記天板支持部の構成として、前記天板の下部に前記天板の長手方向に沿って略平行に間隔をとって配置される少なくとも２本の柱状部材を備え、前記天板の構成として、前記２本の柱状部材のうちの一方に前記天板を回動可能に支持する回動支持部材（軸受部）と、前記２本の柱状部材のうちの他方に連結されて、前記天板の回動による変移を制限して前記天板の傾斜状態を保持する傾斜保持部材(例えば、伸縮可能な可変式ステー等)と、を備え、前記回動支持部材を、前記２本の柱状部材の何れにも装着可能に構成し、前記傾斜保持部材を、前記２本の柱状部材の何れにも連結可能に構成し、前記天板を、前記天板支持部に対して前記天板の長手方向に沿った一方向または反対方向の向きで装着可能に構成し、前記天板を前記天板支持部に対して前記天板の長手方向に沿った一方向の向きで装着したときに、前記天板が傾斜する向きと、前記天板を前記天板支持部に対して前記天板の長手方向に沿った一方向とは反対方向の向きで装着したときに、前記天板が傾斜する向きとは、反対の向きとなるように構成することで、テーブル装置の設置状況に応じて、前記天板の回転支持部材をどちらの柱状部材に装着するかにより、天板の傾斜向きを簡単に設定することができるので、容易な組換えで、天板を何れかの方向に傾斜させることができる。また、他方の柱状部材に傾斜保持部材を支持するようにしたので、常に２本の柱状部材により天板を支えることができるので、傾斜保持部材に支障が生じても柱状部材に支持されるため、天板が水平より下方に傾斜したり回動したりすることがなく、安全に支持することができる。
このように、本発明によれば、汎用部品を用いることができるので、専用の部品を用いることで構造が煩雑になることなく、簡単な構成により天板を両側（双方向）に傾斜させることが可能なテーブル装置を実現できる。
【図面の簡単な説明】
【００２４】
【図１】本発明の実施形態に係るテーブル装置の全体の構成を示す説明図である。
【図２】前記テーブル装置のテーブル板を傾斜させた状態を示す正面側から見た説明図である。
【図３】前記テーブル装置のテーブル板を傾斜させた状態を示す反対側から見た説明図である。
【図４】前記テーブル板支持部の構成を示す表面側から見た説明図である。
【図５】前記テーブル板支持部の構成を示す裏面側から見た説明図である。
【図６】前記テーブル板の構成を示す裏面側の説明図である。
【図７】前記テーブル板を回動可能に支持する軸受部の構成を示す説明図である。
【図８】前記テーブル板を傾斜状態を保持するステーの構成を示す説明図である。
【図９】前記テーブル板とテーブル板支持部の取付状態を示す説明図である。
【図１０】前記テーブル板支持部の円柱状部材にストッパを取付けた状態を示す説明図である。
【図１１】前記ストッパの構成を示す説明図である。
【図１２】前記円柱状部材の構成を示す説明図である。
【図１３】本実施形態のテーブル装置の初期状態のテーブル板とテーブル板支持部の構成を示す説明図である。
【図１４】前記テーブル装置の初期状態のテーブル板とテーブル板支持部の構成を示す背面視による説明図である。
【図１５】前記テーブル装置のテーブル板を初期状態と反対方向に組み替える操作を示す説明図である。
【図１６】前記テーブル装置においてテーブル板を初期状態と反対方向に組み替えたときのテーブル板とテーブル板支持部の構成を示す背面視による説明図である。
【図１７】前記テーブル装置のテーブル板支持部の構成の変形例を示す説明図である。
【図１８】従来のテーブル装置の一例の構成を示す説明図である。
【図１９】前記テーブル装置のテーブル板を傾斜した状態を示す説明図である。
【図２０】従来のテーブル装置のテーブル板を傾斜した状態を示すその他の例の説明図である。
【図２１】従来のテーブル装置のその他の例の構成を示す説明図である。
【図２２】前記テーブル装置のテーブル板の傾斜状態を示す側面視による説明図である。
【発明を実施するための形態】
【００２５】
以下、本発明のテーブル装置を実施するための形態について図面を参照して詳細に説明する。
図１は本発明を実施する形態の一例であって、本発明の実施形態に係るテーブル装置の全体の構成を示す説明図、図２は前記テーブル装置のテーブル板を傾斜させた状態を示す正面側から見た説明図、図３は前記テーブル装置のテーブル板を傾斜させた状態を示す反対側から見た説明図、図４は前記テーブル板支持部の構成を示す表面側から見た説明図、図５は前記テーブル板支持部の構成を示す裏面側から見た説明図、図６は前記テーブル板の構成を示す裏面側の説明図、図７は前記テーブル板を回動可能に支持する軸受部の構成を示す説明図、図８は前記テーブル板を傾斜状態を保持するステーの構成を示す説明図、図９は前記テーブル板とテーブル板支持部の取付状態を示す説明図、図１０は前記テーブル板支持部の円柱状部材にストッパを取付けた状態を示す説明図、図１１は前記ストッパの構成を示す説明図、図１２は前記円柱状部材の構成を示す説明図である。
【００２６】
第１実施形態に係るテーブル装置１は、ベッドサイドテーブルであって、図１に示すように、テーブル板（天板）１０と、テーブル板１０を支持するテーブル板支持部（天板支持部）２０と、テーブル板支持部２０を支持する支柱部３０と、支柱部３０を支持する脚部４０とを備え、脚部４０には移動用のキャスタ４１を備える移動式のテーブル装置において、テーブル板１０を傾斜可能に構成するために、本発明に係るテーブル装置の特徴的な構成を備えるものである。
【００２７】
まず、本実施形態のテーブル装置１の全体構成について図面を参照して説明する。
【００２８】
テーブル板１０は、図１に示すように、ベッド装置（図示省略）の幅方向にわたりベッド装置を跨いで配置することが可能なように細長い矩形状に形成されている。そして、テーブル板１０は、テーブル板支持部２０に下部側より支持するように構成されている。
【００２９】
テーブル板支持部２０の下部には支柱部３０が配置され、支柱部３０によりテーブル板１０およびテーブル板支持部２０を片側のみで支持するように構成されている。支柱部３０の基部には脚部４０が具備されている。
【００３０】
テーブル板支持部２０は、図２，図３に示すように、テーブル板１０を下部側から支持する２本の円柱状部材（柱状部材）２１，２２と、円柱状部材２１，２２を支持する円柱状部材支持部（柱状部材支持部）２３と、を備えている。
【００３１】
円柱状部材支持部２３は、円柱状部材２１，２２にテーブル板１０が装着された状態で、テーブル板１０が近接配置されるように構成されている。
【００３２】
また、円柱状部材支持部２３は、その表面とテーブル板１０の表面とが面一になるように構成されている。そして、円柱状部材支持部２３の外形は、略矩形状に形成され、テーブル板１０に隣接する側端部の長さがテーブル板１０の短手方向（幅方向）の長さと略同一となるように構成されている。
【００３３】
すなわち、円柱状部材支持部２３は、テーブル板１０が水平状態のときには、図１に示すように、円柱状部材支持部２３の上面がテーブル板１０の上面の延長上で使用できように構成されている。
【００３４】
円柱状部材２１，２２は、図４，図５に示すように、テーブル板１０の長手方向に沿って幅方向に間隔をとって略平行に並設され、その一端部２１ａ，２２ａが円柱状部材支持部２３に一体的に取付けられて、他端部２１ｂ，２２ｂが開放状態となるように構成されている。
【００３５】
そして、円柱状部材２１，２２の間には、長手方向の略中央の位置で円柱状部材２１，２２を連結する梁部材２４が設けられている。梁部材２４は、円柱状部材２１，２２の開放状態の剛性を高めるとともに、テーブル板１０の円柱状部材２１，２２への取付位置の位置決めする位置決め部材として機能する。
【００３６】
このように構成されたテーブル板支持部２０は、図４，図５に示すように、２本の円柱状部材２１，２２と円柱状部材支持部２３との構成が、円柱状部材２１，２２の長手方向に沿って短手方向（幅方向）の中心を通る中心線ＣＬ１を中心に対称な形状となるように構成されている。
【００３７】
テーブル板１０は、図６，図７，図８に示すように、円柱状部材２１，２２の何れか一方にテーブル板１０を回動可能に支持する２箇所の軸受部（回動支持部材）１１，１２と、円柱状部材２１，２２の何れかの他方に連結されるステー（傾斜保持部材）１３と、を備えている。
【００３８】
そして、テーブル板１０は、図６に示すように、前記テーブル板１０の短手方向（幅方向）に沿って長手方向の中心を通る中心線ＣＬ２を中心に対称な形状となるように構成され、その略中央部にステー１３が配置されるとともに、中心線ＣＬ２を中心に軸受部１１，１２が対称な位置に配置されている。
【００３９】
ステー１３は、図８，図９に示すように、長さが伸縮可能に構成され、円柱状部材２１に取付けられる支持部１３ａと、テーブル板１０に回動可能に取付けられる取付部１３ｂと、を備え、図３，図９に示すように、テーブル板１０が軸受部１１，１２を支点に回動することによるテーブル板１０の傾斜した状態を制限するとともに、所定位置で保持するように構成されている。
【００４０】
ステー１３の支持部１３ａは、図９に示すように、締結部材１４により円柱状部材２２に取付けられる。本実施形態では、締結部材１４は、外周にローレット加工が施されたねじ部材であって、工具を用いることなく支持部１３ａに締結するようにされている。
【００４１】
円柱状部材２１，２２の開放側の他端部２１ｂ，２２ｂには、図１０に示すように、軸受部１１，１２の開放側への移動を規制するストッパ部（規制部材）２５が設けられている。
【００４２】
ストッパ部２５は、図１１に示すように、切り欠き部２５ａを有する円弧状断面形状の筒状体であって、筒状体の内側の略中央部に突出した突起部２５ｂが形成されている。ストッパ部２５の円弧状断面形状は、ストッパ部２５が装着される円柱状部材２１，２２の外形よりも小さい形状で構成されている
【００４３】
また、ストッパ部２５は、樹脂材で形成され、テーブル板１０板が当接するときの緩衝部材としても機能するように構成されている。
【００４４】
このように構成されたストッパ部２５は、円弧状断面形状によって円柱状部材２１，２２への着脱を容易にするとともに、樹脂材による弾性力によって容易に脱落しないようにされている。さらに、ストッパ部２５の筒状体の内側の突起部２５ｂにより円柱状部材２１，２２への位置決めを容易にするとともに、位置ずれや脱落がし難くなっている。
【００４５】
本実施形態では、テーブル板１０の円柱状部材２１，２２へ装着するときの位置決めは、図１２に示すように、円柱状部材２１，２２に設けられた梁部材２４に軸受部１１が当接することで装着位置を位置決めするようにされている。
【００４６】
次に、本実施形態のテーブル装置１において、テーブル板１０の傾斜向きを反対方向に変更するときの操作について図面を参照して説明する。
【００４７】
図１３は本実施形態のテーブル装置の初期状態のテーブル板とテーブル板支持部の構成を示す説明図、図１４は前記テーブル装置の初期状態のテーブル板とテーブル板支持部の構成を示す背面視による説明図、図１５は前記テーブル装置のテーブル板を初期状態と反対方向に組み替える操作を示す説明図、図１６は前記テーブル装置においてテーブル板を初期状態と反対方向に組み替えたときのテーブル板とテーブル板支持部の構成を示す背面視による説明図である。
【００４８】
本実施形態のテーブル装置１においては、図１３，図１４に示すように、初期状態では、テーブル板１０は、軸受部１１，１２により円柱状部材２１に回動可能に支持されている。そして、テーブル板１０の位置決めは、梁部材２４に軸受部１１を当接させることで行われる。ステー１３は円柱状部材２２に取付けられている。
【００４９】
このように構成されることで、初期状態におけるテーブル装置１では、テーブル板１０は、図１３に示すように、前面が図中て前側に向かって傾斜するように構成されている。
【００５０】
このテーブル装置１において、テーブル板１０を反対方向（図中で後側）に向かって傾斜するように構成する場合は、図１５に示すように、テーブル板１０を初期状態と反対方向に組み替えることで可能になる。
【００５１】
まず、テーブル板支持部２０からテーブル板１０を取り外す場合について説明する。
図１４に示すように、ステー１３から締結部材１４を外して、円柱状部材２２からステー１３の取付部１３ｂを取り外す。そして、円柱状部材２１，２２からストッパ部２５を取り外す。
【００５２】
このように、ストッパ部２５とステー１３の取付部１３ｂを取り外すだけで、テーブル板支持部２０からテーブル板１０を取り外しが可能になる。
【００５３】
次に、テーブル板支持部２０からテーブル板１０を取り外して、テーブル板１０の長手方向を逆に反転して、テーブル板支持部２０にテーブル板１０を組み替える。
【００５４】
すなわち、図１６に示すように、テーブル板１０の軸受部１１，１２を円柱状部材２２に装着して、テーブル板１０を円柱状部材２２に回動可能に支持する。そして、梁部材２４に軸受部１２を当接させてテーブル板１０の位置決めを行う。
【００５５】
そして、ステー１３の取付部１３ｂを円柱状部材２１に取付けて、締結部材１４により固定する。そして、円柱状部材２１，２２にストッパ部２５を取付けて軸受部１１の脱落防止を行う。
【００５６】
このようにして、テーブル装置において、テーブル板１０の向きを組み替えることで、簡単にテーブル板１０の傾斜する方向を変更することができる。
【００５７】
以上のように構成したので、本実施形態によれば、テーブル板１０と、テーブル板支持部２０と、を備えるテーブル装置１において、テーブル板支持部２０の構成として、テーブル板１０の下部にテーブル板１０の長手方向に沿って略平行に間隔をとって配置される２本の円柱状部材２１，２２を備え、テーブル板１０の構成として、２本の円柱状部材２１，２２のうちの一方にテーブル板１０を回動可能に支持する軸受部１１，１２と、２本の円柱状部材２１，２２のうちの他方に連結されて、テーブル板１０の回動による変移を制限してテーブル板１０の傾斜状態を保持する伸縮可能な可変式のステー１３と、を備え、軸受部１１，１２を、２本の円柱状部材２１，２２の何れにも装着可能に構成し、ステー１３を、２本の円柱状部材２１，２２の何れにも連結可能に構成し、テーブル板１０を、テーブル板支持部２０に対してテーブル板１０の長手方向に沿った一方向または反対方向の向きで装着可能に構成し、テーブル板１０をテーブル板支持部２０に対してテーブル板１０の長手方向に沿った一方向の向きで装着したときに、テーブル板１０が傾斜する向きと、テーブル板１０をテーブル板支持部２０に対してテーブル板１０の長手方向に沿った一方向とは反対方向の向きで装着したときに、テーブル板１０が傾斜する向きとは、反対の向きとなるように構成することで、テーブル装置１の設置状況に応じて、テーブル板１０をどちらの円柱状部材２１，２２に装着するかにより、テーブル板１０の傾斜向きを簡単に設定することができるので、容易な組換えで、テーブル板１０を何れかの方向に傾斜させることができる。また、他方の円柱状部材２１，２２にステー１３を支持するようにしたので、常に２本の円柱状部材２１，２２によりテーブル板１０を支えることができるので、テーブル板支持部２０に支障が生じても円柱状部材２１，２２に支持されるため、テーブル板１０が水平より下方に傾斜したり回動したりすることがなく、安全に支持することができる。
【００５８】
このように、本実施形態のテーブル装置１によれば、汎用部品を用いることができるので、専用の部品を用いることで構造が煩雑になることなく、簡単な構成によりテーブル板１０を両側（双方向）に傾斜させることが可能なテーブル装置を実現できる。
【００５９】
なお、本実施形態では、テーブル板支持部２０の構成として、２本の円柱状部材２１，２２を備えているが、変形例として、図１７に示すように、テーブル板１０を支持するための補強として、円柱状部材支持部２３に補強用の円柱状部材２６を備えたものであってもよい。変形例では、２本の円柱状部材２１，２２と平行に３本の円柱状部材２６を設けている。
【００６０】
また、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【００６１】
本発明のテーブル装置は、医療用、介護用のベッド等に利用することができる。
【符号の説明】
【００６２】
１  テーブル装置
１０  テーブル板（天板）
１１，１２  軸受部（回動支持部材）
１３  ステー（傾斜保持部材）
１４  締結部材
２０  テーブル板支持部（天板支持部）
２１，２２  円柱状部材（柱状部材）
２３  円柱状部材支持部（柱状部材支持部）
２４  梁部材
２５  ストッパ部（規制部材）
３０  支柱部
４０  脚部
【図１】
2018057516.tif 000003
【図２】
2018057516.tif 000004
【図３】
2018057516.tif 000005
【図４】
2018057516.tif 000006
【図５】
2018057516.tif 000007
【図６】
2018057516.tif 000008
【図７】
2018057516.tif 000009
【図８】
2018057516.tif 000010
【図９】
2018057516.tif 000011
【図１０】
2018057516.tif 000012
【図１１】
2018057516.tif 000013
【図１２】
2018057516.tif 000014
【図１３】
2018057516.tif 000015
【図１４】
2018057516.tif 000016
【図１５】
2018057516.tif 000017
【図１６】
2018057516.tif 000018
【図１７】
2018057516.tif 000019
【図１８】
2018057516.tif 000020
【図１９】
2018057516.tif 000021
【図２０】
2018057516.tif 000022
【図２１】
2018057516.tif 000023
【図２２】
2018057516.tif 000024